(57)【特許請求の範囲】
【請求項１】
少なくとも１つのウェブ（１）を巻取ロール（２）に巻取り、少なくとも、前記巻取ロール（２）と互いに平行をなす第１のロール（３）、第２のロール（４）および第３のロール（５）を備える装置であって、前記装置は、
前記第１および第２のロール（３，４）および前記巻取ロール（２）のそれぞれが前記第３のロール（５）に接触し、
前記第１のロール（３）と前記第２のロール（４）との間、前記第１のロール（３）と前記巻取ロール（２）との間、および、前記第２のロール（４）と前記巻取ロール（２）との間には接触が存在せず、
前記第３のロール（５）の軸により範囲が定められると共に前記第１のロール（３）の軸（１７）を含む第１の半平面と、前記第３のロール（５）の軸により範囲が定められると共に前記第２のロール（４）の軸（１８）を含む第２の半平面との間に定められる第１の角度が１８０°より小さく、
前記第３のロール（５）の軸により範囲が定められると共に前記巻取ロール（２）の軸を含む第３の半平面と、前記第３のロール（５）の軸により範囲が定められると共に交線を含む第４の半平面との間に定められる第２の角度が９０°より大きく、前記交線が、前記第１の角度の二等分平面と、前記第１のロール（３）の軸（１７）および前記第２のロール（４）の軸（１８）を含む平面との交線である、規準巻取位置を有しており、
前記装置が前記規準巻取位置にある際に、前記第３のロール（５）を前記第１および第２のロール（３，４）と前記巻取ロール（２）との間で自由に位置決めかつ整列させる手段（１９，２５，２６，２７，２８，２９，３０）を備え、
前記規準巻取位置では、前記ウェブ（１）が、少なくとも前記第３のロール（５）と前記巻取りロール（２）との間を通過するように意図されていることを特徴とする装置。
【請求項２】
前記第１、第２および第３のロール（３，４，５）が前記巻取ロール（２）への巻き取りのコースにおける前記ウェブ（１）のパスから外れて配置される開位置を更に有しており、前記第１、第２および第３のロール（３，４，５）のうち、少なくとも一つのロールのベアリングと、前記巻取ロール（２）とが、前記開位置と前記規準巻取位置との間の前記装置から位置変化を可能にするように移動自在であることを特徴とする請求項１に記載の装置。
【請求項３】
前記規準巻取位置では、前記第２の角度が実質的に１８０°であることを特徴とする請求項１または２に記載の装置。
【請求項４】
前記規準巻取位置では、前記第３の半平面が実質的に垂直であることを特徴とする請求項１〜３の何れか一項に記載の装置。
【請求項５】
前記装置が前記規準巻取位置にある際に、前記巻取ロール（２）のいかなる幅についても、前記第３のロール（５）の端部領域が前記第１および第２のロール（３，４）に接するように、ロード手段（１９）が前記第３のロール（５）のベアリングに力を加えることを特徴とする請求項１〜４の何れか一項に記載の装置。
【請求項６】
前記装置が前記規準巻取位置にある際に、前記巻取ロール（２）の直径に適合するように、前記第３の半平面に直角ではない共通の方向に沿って、前記第１、第２および第３のロール（３，４，５）のベアリングを移動させる手段（１１，１２，１９，２０，２１，２２，２３，２４）を備え、前記巻取ロール（２）のベアリングが前記規準巻取位置に固定・保持されていることを特徴とする請求項１〜５の何れか一項に記載の装置。
【請求項７】
前記装置が前記規準巻取位置にある際に、前記巻取ロール（２）の直径に適合するように、前記第３の平面に平行な共通の方向に沿って、前記第１、第２および第３のロール（３，４，５）のベアリングを移動させる手段（１１，１２，１９，２０，２１，２２，２３，２４）を備え、前記巻取ロール（２）のベアリングが前記規準巻取位置に固定・保持されていることを特徴とする請求項１〜５の何れか一項に記載の装置。
【請求項８】
前記第１および第２のロール（３，４）が互いに対して共に自由に移動しないように、前記第１および第２のロール（３，４）のベアリングを選択的にインタロックするインタロック手段（１３ａ，１４ａ、１５，１６）を備えることを特徴とする請求項６または７に記載の装置。
【請求項９】
前記規準巻取位置では、前記第３のロール（５）の軸（３１）が前記巻取ロール（２）の軸よりも高いレベルに配置され、前記第１、第２および第３のロール（３，４，５）の重量が前記第３のロール（５）を介して前記巻取ロール（２）によって少なくとも部分的に支持され、それにより、前記第３のロール（５）が前記巻取ロール（２）に圧力を加えることを特徴とする請求項６ないし８のいずれかに記載の装置。
【請求項１０】
前記装置が前記規準巻取位置にある際に、前記第３のロール（５）により前記巻取ロール（２）に作用させられる圧力が前記巻取ロール（２）の中央領域で最大化されると共にその端部に向けて徐々に減少するように、前記第１および第２のロール（３，４）のベアリングに、前記第３の半平面に平行な成分を有して前記巻取ロール（２）から離れるように向けられた力を作用させるロード手段（２１，２３）を備えることを特徴とする請求項９に記載の装置。
【請求項１１】
前記ウェブ（１）と接するようになる前記第１および第２のロール（３，４）のうちの各ロールについて、選択的に、該ロールを前記ウェブ（１）のそれらに実質的に対応する方向および接線速度で回転させるか、あるいは、アイドルロールとして作用させるかする手段を備えることを特徴とする請求項１〜１０の何れか一項に記載の装置。
【請求項１２】
前記装置が前記規準巻取位置にないときに、前記第３のロール（５）が前記第１または第２のロール（３，４）と直接に接触する際に、少なくとも前記第１または第２のロール（３，４）をアイドルロールとして作用させるか、あるいは、ある方向および速度で回転させるかする手段を備え、それにより、前記第３のロール（５）が前記ウェブ（１）のそれらに実質的に対応する方向および接線速度で摩擦により回転駆動されることを特徴とする請求項１〜１１の何れか一項に記載の装置。
【請求項１３】
前記第３のロール（５）が前記第１のロール（３）にまた接するまで、前記第２のロール（４）の外周に沿って前記第３のロール（５）を進行させる手段（１８，１９，２０）を備えることを特徴とする請求項１〜１２の何れか一項に記載の装置。
【請求項１４】
前記第１および第２のロール（３，４）は、同一の重量を有することを特徴とする請求項１〜１３の何れか一項に記載の装置。
【請求項１５】
前記第１および第２のロール（３，４）は、同一の直径を有することを特徴とする請求項１〜１４の何れか一項に記載の装置。
【請求項１６】
前記第１および第２のロール（３，４）の直径は、前記第３のロール（５）の１〜６倍の直径であることを特徴とする請求項１〜１５の何れか一項に記載の装置。
【発明の詳細な説明】
【０００１】
（技術分野）
本発明は、ウェブを巻き取る装置および方法に関する。
【０００２】
（背景技術）
一般に、薄いポリエステルのフォイルあるいは他のシート材料のようなウェブは、連続処理において製造され、最終製品は、保管および搬送のためにロールに巻き取られる。
【０００３】
ロールにウェブを巻き取る作業の間、ロールへの同質の巻取り（すなわち、しわ、あるいは、縮みなしで）を確保すると共に、ロール状の各ウェブ層間のエアをできるだけ少なくトラップすることが望まれる。
【０００４】
この問題は、ミクロンサイズほどに薄い（極薄の）厚さを有し、スピードが１０００ｍ／分に達するフィルムにおいて深刻なものとなる。
【０００５】
従来技術において、ウェブは、特に薄いものの場合、通常、過剰なエアの巻き込みを防止するために、ニップローラ（あるいは、パックロールと称される）の支援のもと、高速（すなわち、数百ｍ／分）で巻き取られる。
【０００６】
欧州特許出願公開０１４７１１５号は、押圧する湾曲されたロールを含んだ巻取装置を開示している。欧州特許出願公開０６７０２７７号は、パックロールを有する巻取装置を開示している。欧州特許出願公開０５１４２２６号は、置き（ｌａｙ−ｏｎ）ロールおよび当該置きロールに接線方向に適用される更なるロールを有する巻取装置を開示している。特願平７−１１２８５４号公報は、保持ロールおよびこれを押圧するガイドロールを有する巻取装置を開示している。
（発明の概要）
研究の結果、以下のことが明らかになった。
【０００７】
（ａａ）高速作業でエアの巻き込み量をあるレベル以下に保つためには、パックロールの直径を減らすことが最も効果的な手法である。
【０００８】
（ｂｂ）パックロール（あるいは、その被覆）が巻取ロールよりも可撓性があり、非常に多量のエアが巻き込まれる場合、その問題は、より硬い材料をパックロールに用いることにより解決され得る。
【０００９】
（ｃｃ）ニップ荷重を増加させることによりエアの巻き込み量をさほど効果的に減じられず、かつ、前記荷重が非常に増加させられている場合、他の巻き込みの問題が生じ得る。
【００１０】
更に、研究によれば、パックロールのサイズを減じることに現実的な問題または制限が存在すること、例えば、パックロールは、それが細すぎる場合、曲がり易くなりすぎるであろうということが明らかになった。ただし、それは、エアの巻き込みにおけるその重要性ゆえに、細いパックロールをデザインすることを示唆する。研究の成果は、可能性のある設計変更の２つの例に帰結した。第１の例は、ロールと巻取ロールとの間の細いロールを提案しており、ウェブは、そのロールから細いロールを通り、巻取ロールに達する。第２の例は、２つのロールと巻取ロールとの間の細いロールを提案しており、ウェブは、これらのロールの何れか一つから進行し、巻取ロールに達する。
【００１１】
しかしながら、これらの原理を実行に移すために解決すべき幾つかの課題が存在している。第１の課題は、細いロールはその小さな直径に起因して曲がり易くなることから、ロールと巻取ロールとの間で細いロールの正確な位置を確保することにある。他の課題は、ウェブ上での摩擦を避けるために、細いロールと、他のロールとの接線速度を、それらの長さにわたり、それらの間の各点において同一に確保することにある。もう一つの課題は、巻取ロールにウェブを巻き取る前に、ウェブの広がりを確保することにあり、すなわち、一旦巻取ロールに巻き取られると、ウェブにしわが残ってしまうであろうということである。更なる課題は、ウェブの巻き取りの開始を容易に可能とすることにあり、この困難さは、ロールと細いロールとの間、および、細いロールと巻取ロールとの間をウェブが通過することにある。もう一つの更なる課題は、均一なエアの排除をもたらす巻取ロールの幅にわたる圧力分布を加えることにある。
【００１２】
本発明の目的は、これらの課題を克服する巻取ロールにウェブを巻き取る装置および方法を提供することにある。
【００１３】
本発明の目的は、良好かつ均一なエアの排除、ゆがみのないウェブ、ウェブの良好な広がり、ならびに、巻き取りの容易な開始を確保し、それにより、巻取速度および巻取品質を改善させる巻取ロールにウェブを巻き取る装置および方法を提供することにある。
【００１４】
この目的は、少なくとも１つのウェブを巻取ロールに巻取り、少なくとも、前記巻取ロールと互いに平行をなす第１のロール、第２のロールおよび第３のロールを備える装置であって、前記装置は、
前記第１および第２のロールおよび前記巻取ロールのそれぞれが前記第３のロールに接触し、
前記第１のロールと前記第２のロールとの間、前記第１のロールと前記巻取ロールとの間、および、前記第２のロールと前記巻取ロールとの間には接触が存在せず、
前記第３のロールの軸により範囲が定められると共に前記第１のロールの軸を含む第１の半平面と、前記第３のロールの軸により範囲が定められると共に前記第２のロールの軸を含む第２の半平面との間に定められる第１の角度が１８０°より小さく、
前記第３のロールの軸により範囲が定められると共に前記巻取ロールの軸を含む第３の半平面と、前記第５のロールの軸により範囲が定められると共に交線を含む第４の半平面との間に定められる第２の角度が９０°より大きく、前記交線が、前記第１の角度の二等分平面と、前記第１のロールの軸および前記第２のロールの軸を含む平面との交線である、規準巻取位置を有しており、
前記装置が前記規準巻取位置にある際に、前記第３のロールを前記第１および第２のロールと前記巻取ロールとの間で自由に位置決めかつ整列させる手段を備えることを特徴とする装置によって達成される。
ある態様では、前記装置は、前記第１、第２および第３のロールが前記巻取ロールへの巻き取りのコースにおける前記ウェブのパスから外れて配置される開位置を更に有しており、前記第１、第２および第３のロールのうち、少なくとも一つのロールのベアリングと、前記巻取ロールとが、前記開位置と前記規準巻取位置との間の前記装置から位置変化を可能にするように移動自在である。
別の態様では、前記規準巻取位置では、前記第２の角度が実質的に１８０°である。
別の態様では、前記規準巻取位置では、前記第３の半平面が実質的に垂直である。
別の態様では、前記装置が前記規準巻取位置にある際に、前記巻取ロールのいかなる幅についても、前記第３のロールの端部領域が前記第１および第２のロールに接するように、ロード手段が前記第３のロールのベアリングに力を加える。
別の態様（態様Ａという。）では、前記装置は、前記装置が前記規準巻取位置にある際に、前記巻取ロールの直径に適合するように、前記第３の半平面に直角ではなく、好ましくは前記第３の平面に平行な共通の方向に沿って、前記第１、第２および第３のロールのベアリングを移動させる手段を備え、前記巻取ロールのベアリングが前記規準巻取位置に固定・保持されている。態様Ａでは、前記装置は、前記第１および第２のロールが互いに対して共に自由に移動しないように、前記第１および第２のロールのベアリングを選択的にインタロックするインタロック手段を備えてもよい。態様Ａでは、前記装置はまた、前記装置が前記規準巻取位置にある際に、前記第３のロールを巻取ロールに対して押圧するように、前記第１および第２のロールのベアリングに、前記第３の半平面に平行な成分を有して前記巻取ロールに向けられた力を作用させるロード手段を備えてもよい。態様Ａでは、前記装置は、前記規準巻取位置では、前記第３のロールの軸が前記巻取ロールの軸よりも高いレベルに配置され、前記第１、第２および第３のロールの重量が前記第３のロールを介して前記巻取ロールによって少なくとも部分的に支持され、それにより、前記第３のロールが前記巻取ロールに圧力を加えることを特徴としてもよい。後者の場合には、前記装置は、前記装置が前記規準巻取位置にある際に、前記第１および第２のロールの重量の一部のみが前記巻取ロールにより支持されるように、前記第１および第２のロールのベアリングに、前記第３の半平面に平行な成分を有して前記巻取ロールから離れるように向けられた力を作用させるロード手段を備えてもよい。さもなければ、前記装置は、前記装置が前記規準巻取位置にある際に、前記第３のロールにより前記巻取ロールに作用させられる圧力が前記巻取ロールの中央領域で最小化されると共にその端部に向けて徐々に減少するように、前記第１および第２のロールのベアリングに、前記第３の半平面に平行な成分を有して前記巻取ロールから離れるように向けられた力を作用させるロード手段を備えてもよい。
態様Ａとは対照的に、別の態様（態様Ｂという。）では、前記装置は、前記装置が前記規準巻取位置にある際に、前記巻取ロールの直径に適合するように、前記第３の半平面に直角ではなく、好ましくは前記第３の平面に平行な共通の方向に沿って、前記巻取ロールのベアリングを移動させる手段を備え、前記第１および第２のロールのベアリングが前記規準巻取位置に固定・保持されている。態様Ｂによれば、前記装置はまた、前記装置が前記規準巻取位置にある際に、前記第１および第２のロールによりバックアップされる前記第３のロールに対して前記巻取ロールを押圧するように、前記巻取ロールのベアリングに、前記第３の半平面に平行な成分を有して前記第３ロールに向けられた力を作用させるロード手段を備えてもよい。態様Ｂでは、前記装置は更に、前記規準巻取位置では、前記巻取ロールの軸が前記第３のロールの軸よりも高いレベルに配置され、前記第３のロールが前記巻取ロールに逆方向の圧力を加えるように、前記巻取ロールの重量が前記第３のロールに対して部分的に負われることを特徴としてもよい。この後者の場合には、前記装置は、前記装置が前記規準巻取位置にある際に、前記巻取ロールの重量が前記第３のロールに対して負われるように、前記巻取ロールのベアリングに、前記第３の半平面に平行な成分を有して前記第３ロールから離れるように向けられた力を作用させるロード手段を備えてもよい。
別の態様では、前記装置は、前記ウェブと接するようになる前記第１および第２のロールのうちの各ロールについて、選択的に、該ロールを前記ウェブのそれらに実質的に対応する方向および接線速度で回転させるか、あるいは、アイドルロールとして作用させるかする手段を備えることを特徴とする。
別の態様では、前記装置は、前記位置が前記規準巻取位置にないときに、前記第３のロールが前記第１または第２のロールと直接に接触する際に、少なくとも前記第１または第２のロールをアイドルロールとして作用させるか、あるいは、ある方向および速度で回転させるかする手段を備え、それにより、前記第３のロールが前記ウェブのそれらに実質的に対応する方向および接線速度で摩擦により回転駆動される。
別の態様では、前記装置は、前記第３のロールが前記第１のロールにまた接するまで、前記第２のロールの外周に沿って前記第３のロールを進行させる手段を備える。
別の態様では、前記第３のロールは、弾性材料により覆われている。
別の態様では、前記第１のロールの表面は、２５μｍ以下の表面粗度Ｒｔを有する。
別の態様では、前記第第２のロールの表面は、２５μｍ以下の表面粗度Ｒｔを有する。
別の態様では、前記第１のロールの表面は、金属製であると共に研磨されている。
別の態様では、前記第２のロールの表面は、金属製であると共に研磨されている。
別の態様では、前記第１および第２のロールは、同一の重量を有する。
別の態様では、前記第１および第２のロールは、同一の直径を有する。
別の態様では、前記第１および第２のロールの直径は、前記第３のロールの１〜６倍の直径である。
別の態様では、前記第３のロールは、およそ２ｍの全長およびおよそ５０ｍｍの直径を有し、前記第１のロールおよび前記第２のロールは、およそ１５０ｍｍの直径を有している。
別の態様では、前記装置は更に、第１のロールの組および第２のロールの組を更に備え、前記第１のロールの組が前記ウェブのパスの一方の側に配置されると共に前記第２のロールの組が前記ウェブのパスの他方の側に配置され、前記第１のロールの組および前記第２のロールの組が、前記ウェブに該ロールが接触するまで移動自在であり、それにより、前記ウェブがそれらの間で波を形成する状態で前記第１のロールの組のロールが前記第２のロールの組のロールと重なり、前記第１および第２のロールの組が前記第１、第２および第３のロールに対して上流側に配置される。
本発明はまた、ウェブを巻取ロールに巻き取る方法であって、本発明の装置を用い、前記規準巻取位置で、前記ウェブを前記第３のロールと前記巻取ロールとの間に通過させ、前記第２および第３のロールの間と、前記第１および第３のロールの間とを通過させないことを特徴とする方法を提案する。
この態様では、前記方法は、
（ｉ）前記装置を前記開位置に適合させ、それにより、前記第１、第２および第３のロールが前記巻取ロールに向けて前記ウェブのパスの一方の側に配置されると共に、好ましくは、前記巻取ロールに接触しないが、前記規準巻取位置でのように、互いに関連して配置され、
（ｉｉ）前記ウェブを前記巻取ロールに対して初期化し、
（ｉｉｉ）前記巻取ロールと、前記第１、第２および第３のロールとをそれらが前記規準巻取位置に適合するまで近づけさせることを含んでもよい。
本発明は別のウェブを巻取ロールに巻き取る方法であって、本発明の装置を用い、前記規準巻取位置で、前記ウェブを前記第２および第３のロールの間に通過させ、前記第１および第３のロールの間を通過させ、最終的に、前記第３のロールと前記巻取ロールの間に進行させることを特徴とする方法を提案する。この態様では、前記方法は、
（ｉ）前記装置を前記開位置に適合させ、それにより、前記第１および第２のロールが前記巻取ロールに向けて前記ウェブのパスの一方の側に配置されると共に、前記第３のロールが前記巻取ロールに向けて前記ウェブのパスの他方の側に配置され、
（ｉｉ）前記ウェブを前記巻取ロールに対して初期化し、
（ｉｉｉ）前記第１および第２のロールを前記巻取ロールにそれらが前記規準巻取位置に適合するまで近づけさせることを含んでもよい。
本発明は更に、ウェブを巻取ロールに巻き取る方法であって、本発明による装置を用い、前記規準巻取位置で、前記ウェブを前記第１および第３のロールの間に通過させ、前記第３のロールと前記巻取ロールとの間を通過させるが、前記第２のロールと前記第３のロールとの間に通過させないことを特徴とする方法を提案する。
この態様では、前記方法は、
（ｉ）前記装置を開位置に適合させ、それにより、前記第１のロールが前記巻取ロールに向けて前記ウェブのパスの一方の側に配置されると共に、前記第２および第３のロールが前記巻取ロールに向けて前記ウェブのパスの他方の側に配置され、
（ｉｉ）前記ウェブを前記巻取ロールに対して初期化し、
（ｉｉｉ）前記第１、第２および第３のロールを前記巻取ロールにそれらが前記規準巻取位置に適合するまで近づけさせること含んでもよい。
ステップ（ｉｉｉ）は、
（ａ）前記第１、第２および第３のロールを前記第３のロールが前記第１のロールおよび前記第２のロールに接触すると共に前記第３のロールが前記巻取ロールと接触することがない所定の配列にもたらし、
（ｂ）前記第３のロールが前記巻取ロールと接触するまで、前記巻取ロールと、前記第１、第２および第３のロールにより形成されるユニットとを近づけさせる、  二つのサブステップを含んでもよい。
さらに、サブステップ（ａ）は、
（ａａ）前記第１、第２および第３のロールを前記第１のロールおよび前記第２のロールが所定の距離だけ離間されると共に前記第３のロールが前記第１のロールと接触することがない所定の配列までもたらし、
（ｂｂ）前記第３のロールが前記第１および第２のロールと接触するまで、前記第３のロールを前記前記第１および第２のロールに近づけさせる、二つのサブステップに細分化されてもよい。
さらに、前記方法は、ステップ（ｂｂ）では、  前記第２のロールが回転させられると共に前記第３のロールが前記第２のロールの外周に沿って進行させられ、それにより、前記第２のロールが前記第３のロールを前記ウェブのそれらに実質的に対応する方向および接線速度で摩擦駆動により回転させることを特徴としてもよい。
前記方法におけるステップ（ｉｉｉ）では、前記ウェブと接するようになる前記第１および第２のロールのうちの各ロールが、前記ウェブに接触する前に、前記ウェブのそれらに実質的に対応する方向および接線速度で回転させられてもよい。前記方法はまた、ステップ（ｉｉｉ）では、前記第３のロールと前記巻取ロールとが接触するようになる前に、前記第１のロールおよび前記第２のロールが、アイドルロールとして作用させられてもよい。さらに、前記方法は、ステップ（ｉｉｉ）では、前記第３のロールと前記巻取ロールとが前記第３の半平面に直角ではない方向に沿った相対変位により接触させられることを特徴としてもよい。さらに、後二者の方法は、前記規準巻取位置では，前記ウェブが、前記第３の半平面に実質的に直角に前記第１または第２のロールに到達させられることを特徴としてもよい。
さらに、前記方法は、前記巻取規準位置では、前記ウェブが、少なくとも前記第３のロールと前記巻取ロールとの間を通過することを特徴としてもよい。
【００１５】
（発明の詳細な説明）
図１ａ〜図１ｅは、巻取ロールへの巻き取りの開始を可能にする開状態から、高速（１０００ｍ／分まで）で薄い（ポリエステルウェブ用の約１ミクロンまで）ウェブ用の高品質な巻き取りを確保するための作業位置まで、本発明による装置の好ましい実施形態の動作を示すものである。
【００１６】
図１ａは、開位置にある本発明による装置を示している。ポリエステルフォイルのようなウェブ１は、矢印Ｆによって示される搬送方向から到来する。装置が開位置にある際、ウェブは、例えばアイドルロール１０（固定されている）を介して巻取ロール２（より低い位置に位置している）に向けて転換される。アイドルロール１０と巻取ロール２との間のパスは、手動あるいは自動的な手段により巻取ロール２へのウェブ１の巻き取りを容易に開始することができるように、拘束されてはいない。第１のロール（３，８，９）の組は、上述のパスの一方の側に備えられる。前記第１のロールの組は、第１の移動可能なキャリッジ１１（図示せず）によって支持されている。細いロール５を含む第２のロール（４，５，６，７）の組は、上述のパスに対して前記第１のロールの組の反対側に備えられる。前記第２のロールの組は、第２の移動可能なキャリッジ１２（図示せず）によって支持されている。
【００１７】
巻取ロール２へのウェブ１の巻き取りが一旦開始されると、第１のキャリッジ１１は、アイドルロール１０と巻取ロール２との間に延在するウェブ１の部分に向けて、ロール３がウェブ１に接する位置まで移動される。この状態は、図１ｂに示される。ウェブ１に接する前に、ロール３は、好ましくは、ウェブ１の変位のそれらに実質的に対応する方向かつ接線速度で回転させられる。ロール８および９は、ウェブ１に接触していないものとして示されているが、それは状況による。
【００１８】
図１ｂの段階から、第２のキャリッジ１２は、ロール３とロール４とが間隔は狭いが互いに接触しない定められた位置まで、ウェブ１に向けて移動される。この状態は、図１ｃに示される。作業時間の節減のために、このステップ（すなわち、ウェブ１に向けて第２のキャリッジ１２を移動させるステップ）は、ウェブ１に向けたキャリッジ１１の変位からなる前のステップと同時に実現され得る。第１のキャリッジ１１および第２のキャリッジ１２を同時に変位させることは、実際上好ましい。図１ｃの位置において、細いロール５は、ロール４の下方で僅かにロール３に向けて配置されると好ましく、すなわち、細いロール５は、ロール４に接するが、ロール３には接していない。ロール４も細いロール５も、ウェブ１に接してはいない。第１のキャリッジ１１のロール８および９、ならびに、第２のキャリッジ１２のロール６および７は、ウェブに対して閉じられたジョーを形成するように配置される。より明確には、第２のキャリッジ１２のロール７は、実質的に、第１のキャリッジ１１のロール８とロール９との間に、好ましくは、狭いやり方で、それらと接触することがないように配置される。第２のキャリッジ１２のロール６は、実質的に、第１のキャリッジ１１のロール８の下方に位置し、好ましくは、後者に接近している。従って、ウェブ１は、ロール９に接触させられ、ロール９からロール７上へ、ロール７からロール８上へ、ロール８からロール６上に、波を形成するように通される。ロール６，７，８および９によって定められたジョーは、ウェブ１に対して閉じられると、低すぎるか、あるいは、高すぎるであろう入力張力から巻取張力を分離する。前記ジョーを形成するロールの数を変更することも可能である。更に、ウェブ１に接する前に、ロール６，７，８および９の各々は、好ましくは、ウェブ１の変位の方向に実質的に対応する方向に接線速度で回転させられ（前記ロール群とウェブ１との間の摩擦を防止するように）、それにより、前記ロール群によって接触される瞬間のウェブ１への過剰な張力（前記ロールがアイドルロールである場合にも生じ得る）の発生が回避される。２メートルまでの幅を有しており、１０００ｍ／分までの速度で搬送されるウェブ１のためには、ロール６，７，８および９が、およそ１２０ｍｍの直径を有していると有利である。好ましくは、ロール６は、ロール３から水平方向に離間され、それにより、ウェブ１は、ロール６からロール３に水平に進行する。更に、ロール３およびロール４は、好ましくは、図３に関連して説明されるように、それらの間の相対的な位置変化を回避すべく、この位置でインタロックされると好ましい。
【００１９】
図１ｃの段階から、ロール４は、好ましくは、ウェブ１の速度に対応する接線速度でロール３と同じ方向に回転させられる。この結果、細いロール５はロール４と接しているので、ロール４は、細いロール５を摩擦駆動により回転させる。そして、細いロール５は、ウェブ１を介してロール３に隣接するまで、ロール４の外周に沿って上方に移動する。従って、細いロール５は、ロール３（ウェブ１を介して）およびロール４の双方と接触する状態となり、結果として、細いロール５は、それらのロール３および４によって正確に位置決めされる。ウェブ１は、ロール３から細いロール５に進行し、その後，巻取ロール２に達する。細いロール５の軸および巻取ロール２の軸は、好ましくは、実質的に垂直な平面内に含まれる。この状態は、図１ｄに示される。
【００２０】
図１ｄの段階から、キャリッジ１１および１２によって形成されたブロック（すなわち、ロールアッセンブリ全体）は、細いロール５が巻取ロール２に接するまで、好ましくは、その頂部まで下降される。この状態は、図１ｅに示される。図１ｅからわかるように、ロール３および４は、巻取ロール２と接していない。この下降は、例えば、垂直方向に移動可能であって、キャリッジ１１および１２が（図１ａから図１ｃに関連して述べられたようにウェブ１へのそれらの変位を許容するように）垂直方向にスライド自在にマウントされるメインキャリッジ（図示せず）によって達成され得る。細いロール５が巻取ロール２と接する直前に、好ましくはおよそ１０ｍｍの距離で、ロール３および４の回転の駆動は、以後アイドルロールとして作用するように停止されると好ましく、これは、一般にクラッチ機構の離脱により達成され得る。装置が図１ｅの位置にある際、装置は、ウェブ１を巻取ロール２に効率的に巻き取り、細いロール５がニップローラとして作用する規準巻取位置にある。
【００２１】
図１ａから図１ｅまでのこれらの各ステップの間、装置の各種ロールによりウェブ１がずれる間にウェブ１のパス長さが変化する際、ウェブ１の張力を実質的に一定に保つように、巻取ロール２の回転速度は変化させられると好ましい。例えば、これは、図１ｃ、１ｄおよび１ｅに関連して説明されたステップの間、ロール６上のウェブ１により発せられる力の関数として巻取ロール６の回転速度を制御することにより達成され得る。
【００２２】
さて、図２を参照しながら、ロール３とロール４との間で細いロール５の正確な位置決めを確保するための機構について説明する。図２は、装置が図１ｃの位置にある際のロール３および４ならびに細いロール５に関連する装置の一部のみを示している。細いロール５（その軸には参照符号３１が付される）は、対応する複動圧力シリンダ１９により各端部において保持されている。より明確には、細いロール５の各端部は、それぞれの圧力シリンダ１９のロッド２０の端部に関節により連結されている。圧力シリンダ１９は、好ましくは、それらのロッド２０が下方に延びる状態で実質的に垂直に延在する。各圧力シリンダ１９は、好ましくは、それぞれピボットリンク２８を介してキャリッジ１２に連結されたそれぞれのアーム２７の端部に固定されている。ピボットリンク２８は、好ましくは、アーム２の中央の領域に配置される。各アーム２７の対向端は、ピボットリンク２９を介して、それぞれの圧力シリンダ２５のロッド２６に連結されている。圧力シリンダ２５は、双方とも、それぞれのピボットリンク３０を介してキャリッジ１２に連結されている。圧力シリンダ２５は、好ましくは、実質的に水平に延在する。この構成は、圧力シリンダ１９および２５を制御することにより、細いロール５の水平および垂直位置を変化させることを可能にする。従って、図１ｂの位置から図１ｃの位置に進行する際に、細いロール５は、圧力シリンダ１９および２５のロッド２０および２６を伸長位置にもたらすことにより、ロール４の下方に正確に位置決めされ、すなわち、細いロール５はウェブ１と接することはない。そして、図１ｃの位置から図１ｄの位置まで進行すべく、ロッド２０は、退避させられ、それゆえに、細いロール５は、ウェブ１を介してロール３と隣接するまでロール４の外周に沿って進み、この動作の間、圧力シリンダ２５における圧力は、過剰な力を加えることなく細いロール５がロール４に接触する状態を維持するように、公知の手法により制御される。好ましくは、細いロール５がロール３に接触すると、圧力シリンダ２５には全く力が加えられず、この結果、細いロール５は、圧力シリンダ１９の引張力によってロール３および４のみで位置決めされる。
【００２３】
巻き取りの間、すなわち、図１ｅの位置において、圧力シリンダ１９は、巻取ロール２の幅に拘わらず、細いロール５の両端がロール３および４と接触する状態に保つために、退避させられたままとなる。
【００２４】
ロール３および４に関して、それらは、双方とも、それぞれの支持部１３および１４に回転自在にマウントされ、それらの軸には、参照符号１７および１８が付される。支持部１３および１４は、既に述べられたように、ロール３とロール４とをインタロックするためのインタロック機構を定めるように協働し、これは、より明確には、図３に関連して説明されるであろう。支持部１３は、キャリッジ１１（図示されないガイド手段）に垂直方向にスライド自在にマウントされ、例えば、複動圧力シリンダ２１によって垂直方向に位置決めされる。同様に、支持部１４は、キャリッジ１２（図示されないガイド手段）に垂直方向にスライド自在に装着され、例えば、複動圧力シリンダ２３によって垂直方向に位置決めされる。従って、圧力シリンダ２１および２３は、それぞれのロッド２２および２４が下方に延びる状態で、平行かつ垂直方向に延在する。圧力シリンダ１９，２０および２１は、自動的に、巻取ロール２の直径の増加を吸収する。ただし、それらは、例えば数ｍｍに対応する定められ検出された距離を超えてロール３および４ならびに細いロール５を上昇させるためにのみ用いられる。その後、キャリッジ１１および１２によって形成されるブロック全体は、前記定められた距離を超えて上昇させられ、この新たな位置でブロックされる一方、圧力シリンダｌ９，２１および２３は、ロール３および４が細いロール５と接触する状態および細いロール５が巻取ロール３と接触する状態を維持する。そこから、圧力シリンダ１９，２１および２３は、ブロック全体が再度上昇等されることの後、前記定められた距離から再度退避させられるまで、巻取ロール２の直径の変化をなお吸収する。
【００２５】
図３を参照しながら、図１ｃ〜１ｅに示される装置の作動状態にあるロール４へのロール３のインタロック機構について説明する。図３は、ロール３（その軸には、参照符号１７が付される）を支持する支持部１３の下部、および、ロール４（その軸には、参照符号１８が付される）を支持する支持部１４の下部を示す概略側面図である。支持部１３の下部は、支持部１４に向けて横方向に延びるアーム１３ａを呈している。アーム１３ａの遊端部には、溝１５が配されている。支持部１４の下部は、支持部１３に向けて延びるアーム１４ａを呈している。アーム１４ａの遊端部には、ノーズ１６が配されている。アーム１４ａの遊端部の形状は、アーム１３ａの遊端部の形状と合致しており、より詳細には、ノーズ１６は、溝１５に嵌り込む。ノーズ１６は、好ましくは、溝１５との係合を容易にするための傾斜させられたエッジを有する。従って、装置が図１ｃの位置に近づくと、支持部１３と支持部１４とはインタロックされる。更に、支持部１３および１４の双方は、例えば、互いの横方向の離脱を防止するようにキャリッジ１１および１２に作用する手段によってインタロックされた状態に維持される。このように、支持部１３および１４の双方は、一つの硬いブロックを形成し、支持部１１と支持部１２との間の水平または垂直方向の相対的振動が除去される。
【００２６】
機械的な観点から、ロール３および４、細いロール５ならびに巻取ロール２の関係について説明する。装置が図１ｅの位置、すなわち、効率的に巻き取るための規準巻取位置にある場合、細いロール５は、ニップローラとして作用する。細いロールの直径は、ウェブ１と巻取ロール２との間のエアの巻き込みを最小化するために、できるだけ小さくされると好ましい。それゆえに、細いロール５は、その全長にわたり曲がり易くなり、ロール３および４がなければ、巻き取りの間、巻取ロール２上で曲がって振動するであろう。共振すら生じるであろう。細いロール５の曲がりおよび振動は、細いロール５と巻取ロール２との間に、接線方向速度の相違を却ってもたらしてしまい、エアの巻き込みと同様に、ウェブ１上の摩擦、ウェブ１における張力の変動、および、ウェブ１の広がりに関する悪影響を引き起こすであろう。従って、巻き取り中に、細いロール５の曲がりおよび振動を防止するのが好ましい。このためには、ロール３および４は、巻き取り中に、それらと巻取ロール２との間に細いロール５を挟むように、ロール５の上側半分の外周に側面を接すると好ましい。更に、ロール３および４は、好ましくは、細いロール５を支えるために、細いロール５よりも硬いと好ましく、それは、好ましくは、細いロール５よりも大きな直径を有するロール３および４によって成し遂げられる。ロール３および４は、好ましくは、それぞれ、細いロール５の１〜６倍、好ましくは、３倍の直径を有する。好ましくは、ロール３および４は、同一の直径を有すると共に、同一の垂直レベルに位置付けられる。更に、ウェブ１により巻かれる（この実施形態では）ロール３の表面は、滑らかであると有利であり、その表面は、金属製であると共に研磨され、その表面粗度Ｒｔ（すなわち、表面の最高点と最低点との差）が２５μｍ以下であると好ましい。その場合、ウェブ１は、空気力学的境界層上で、ロール３の表面と接触することなく浮上する。これは、広がり作用をもたらす。同様に、ロール４の表面もロール３と同じように滑らかであると有利である。細いロール５は、好ましくは、巻取ロール２の表面とそれ自体同等である弾性コーティングを備えたコアで構成される。細いロール５が２メートルまでの幅を有し、ウェブ１が１０００ｍ／分までの速度で搬送されるためには、細いロールがおよそ５０ｍｍの幅を有し、ロール３および４がそれぞれおよそ１５０ｍｍの直径を有していると有利である。これにより、ロール３および４は、それらの間に細いロール５を正確に位置決めすることを可能にし、その結果、細いロール５は、巻取ロール２に正確に位置決めされ、更に、ロール３および４は、巻き取り中に、動的安定性を提供する。
【００２７】
図１ｄの位置における細いロール５と巻取ロール２との間の距離は、図１ｄの位置から図１ｅの位置に進行するのに必要な時間を低下させるように小さくすると好ましく、それゆえに、細いロール５が、まだ巻取ロール２と接していない際に、ロール３および４の下方で曲がったり、振動したりするであろう時間を制限する。ロール３および４の間で細いロールロール５の正確な位置決めを確保するための機構は、図３に関連してより明確に説明されるであろう。
【００２８】
支持部１３および１４は、既に述べられたように、図１ｃの位置に到達すると、好ましくは、インタロックされ、引き続くステップ（図１ｄおよび図１ｅに対応する）においてインタロックされたままとなり、巻り取り中に、相対移動、より明確には、ロール３および４の間の振動が防止され、それゆえに、ロール３および４の間の相対移動、すなわち、振動を引き起こすであろう細いロール５の望ましくない曲がりおよび振動を防止する。
【００２９】
更に、装置は、図１ｅの位置にある際に、インタロックされたそれらの支持部１３および１４と共にキャリッジ１１および１２によって形成され、ロール３および４ならびに細いロール５に従うブロックの巻取ロール２に対する横移動、より明確には、横振動を防止するように設計される。ただし、ロール３および４ならびに細いロール５により形成されるユニットの垂直方向位置は、図２に関連して説明されたように、巻き取りの間に増加する巻取ロール２の直径に適合する。圧力シリンダ２１および２３は、巻取ロール２と細いロール５との間に調整可能な接触圧力を定めて結果として生じる垂直方向の振動を吸収するために、空気圧式であると好ましい。圧力シリンダ１９も、好ましくは、空気圧式とされる。既に述べられたように、ウェブ１は、好ましくは、ロール６からロール３に略水平に進行し、それにより、結果として残存するロール３および細いロール５の垂直方向移動、すなわち、垂直方向振動（巻取ロール２のランアウトによる）は、ロール３にウェブ１が供給される場合のように、ウェブ１における張力の実質的変化を生じさせない。
【００３０】
図１ｅの位置において、細いロール５に対する作用力は、以下のように分配される。
【００３１】
ロール３および４（インタロックされている）の重量Ｗは、細いロール５を介して、巻取ロール２によって支持される。ロール３およびロール４は、好ましくは、同じ重量を有する。ただし、それらの重量Ｗのうちの少なくとも少量△Ｗは、好ましくは、前記ロール３および４の各端部に配置された圧力シリンダ２１および２３によって支持され、前記圧力シリンダは、各端部で、その量の半分、すなわち、△Ｗ／２を引き上げる。好ましくは、量△Ｗは、細いロール５によって巻取ロール２に加えられる圧力が細いロール５の中央で最大となり、その端部に向けて徐々に減少することを成し遂げるのに十分となるように選択される。それでも、圧力シリンダ２１および２３の引張力△Ｗ／２は制限され、細いロール５は、ウェブ位置の全幅にわたって巻取ロール２と接したままとなる。その結果、ウェブ１と巻取ロール２との間におけるエアの巻き込みを減少させる細いロール５の効率が、細いロール５と巻取ロール２との接触領域におけるウェブ１の中央から端部に向けたウェブ１と巻取ロール２との間に捕捉されたエアの排除を支援するように更に改善される。実際には、各端部において圧力シリンダ２１および２３によって発せられる△Ｗ／２の上向き引張力は、差動式（各端部で）の圧力シリンダ２１および２３に、上向きの一定の力Ｗ／２を起こす第１の圧力（ａ）を供給すると共に、下向きの力（Ｗ／２−△Ｗ／２）を起こす第２の圧力（ｂ）を加えることによって得られ、それゆえに、ロール３および４の各端部における結果的な力が上方に向けられた△Ｗ／２となる。
【００３２】
細いロール５およびロール３および４の接触に関して、細いロール５を介して巻取ロール２によって支持されるロール３および４の重量の少なくとも一部によるロール３および４への細いロール５の反力は、できるだけ小さく維持されると好ましく、ロール３および４は、その正確な位置決めを確保すると共に、細いロール５の曲がりおよび振動を防止する。従って、細いロール５とロール３との間におけるウェブ１の圧縮は、低く維持され、その結果、ウェブ１を損傷させることを防止する。そのような観点から、細いロール５の軸によって範囲が定められ、ロール３の軸を包含する半平面と、細いロール５の軸によって範囲が定められ、ロール４の軸を包含する半平面との角度は、できるだけ小さいと好ましく、例えば、１３０°とされる。この結果、ロール３および４への細いロール５の作用力は、適切であれば、巻取ロール２から細いロール５に加えられる所定の力に最小化される。
【００３３】
実際には、巻取ロール２は、その自重とその端部で支持されているという事実により、わずかに下方に撓む。ただし、適切に設計されていれば、巻取ロール２は、細いロール５ならびにロール３および４よりも硬く、その結果、巻取ロール２は、細いロール５ならびにロール３および４がそうするであろうものよりは、下方には撓まない。実際、ロール３および４ならびに細いロール５は、上述のように、少なくともウェブ１の幅にわたって細いロール５を支持し続ける巻取ロール２と同じ量だけ撓む。ただし、圧力シリンダ１９は、細いロール５の各端部で、いかなる幅の巻取ロール２についても、細いロール５の両端部がロール３および４に接することを確保するのに十分な上向きの力を発するのが好ましい。
【００３４】
図１ｅに示されるように、細いロール５は、巻取ロール２の頂部と接すると好ましい（あるいは、他の実施形態では、巻取ロール２は、細いロール５の頂部と接する）。従って、巻取ロール２と細いロール５との接線速度は、細いロール５とロール３との接線速度と同様に、ウェブ１の幅の各点で実質的に同一となり、ウェブ１に全く摩擦が発生しない。これは、細いロール５が巻取ロール２と横に接する場合には、成し遂げられない（それゆえに、ロール３および４は、細いロール５に横方向に側面を接している）。実際、ロール３および４は、それぞれ実質的に同じ一定の下向きの量だけ撓み（それらが同一に設計されている場合）、巻取ロール２は、ウェブ１が巻き取られることによりその直径が増加するにつれて更に変化する他の量だけ撓む。その結果、ロール３および４は、その長さ全体にわたって巻取ロール２に細いロール５を正確に位置決めすることができず、これは、ロール３と細いロール５との間、および、細いロール５と巻取ロール２との間に接線速度ベクトルの差をもたらし、それゆえに、ウェブ１上の摩擦を引き起こす。更に、細いロール５は、一方の側のロール３および４と他方の側の巻取ロール２との間に、その全長さにおいて正確に挟まれていないので、わずかに振動しさえする。
【００３５】
他の好ましい実施形態では、これまで説明されたものと同様の装置が提案されるが、図１ａから図１ｅまでのものと比べて変更されたステップを備える。この装置の初期位置は、図１ａのものと同じである。第１キャリッジ１１および第２キャリッジ１２の変位は、図１ａから図１ｃへの進行について説明されたものと同様に実行されるが、横方向変位は、装置が図１ｃの状態の代わりに図４の状態に到達するように変更される。そして、細いロール５は、図１ｃから図１ｄへの進行について説明されたように、ロール３と接触するまでロール４に沿って移動される。第１キャリッジ１１および第２キャリッジ１２（上述のようにインタロックされた支持部１３および１４と共に）により形成されるブロックは、図１ｄの位置に進むように横方向にシフトされ、図１ｅの位置に達する。
【００３６】
更なる実施形態では、水平方向に続くスペースを得ることを可能にする同様の装置が提案される。図１ａから図１ｅに関連して示された実施形態において、ロール３は、実質的に垂直方向に整列されるように示されたロール８および９に対して横方向にシフトされる。同様に、ロール４および細いロール５は、実質的に整列されるように示されたロール６および７に対して横方向にシフトされる。従って、装置が図１ａのような開状態にある際、装置は、水平方向のしかるべき位置にある。例えば、ロール３を一方のキャリッジにマウントすると共に、ロール８および９を更なるキャリッジにマウントすることも可能であり、双方は横方向に移動自在となる。同様に、ロール４および細いロール５は、一方のキャリッジにマウントされ得る一方、ロール６および７は、他方のキャリッジにマウントされ得て、双方は横方向に移動自在となる。従って、装置が、先の実施形態において図１ａにより例示された開状態にある際、ロール３，８および９をアイドルロール１０と巻取ロール２との間におけるウェブ１のパスの一方の側でほぼ垂直に整列させることができると共に、ロール４，６および７を前記パスの他方の側でほぼ垂直に整列させることもできる。それゆえに、前もってロール３からロール８および９を離間させる水平方向距離、および、ロール６および７からロール４および細いロール５を離間させる水平方向距離を節減することができる。そして、ロール３ならびにロール８および９を支持する双方のキャリッジは、ウェブ１に向けてそれと接するように同時に移動されてもよく、それから（すなわち、結果的に同時に）、ロール４、細いロール５ならびにロール８および９を支持する双方のキャリッジが、ロール３および４ならびに細いロール５が図１ｃにおいて先に例示された位置に達するまでウェブ１に向けて同時に移動されてもよい。この段階で、ロール８および９ならびロール６および７は、ウェブ１を閉じる先に述べられたジョーを形成するが、前記ジョーは、図５に示されるように、ロール３および４ならびに細いロール５によって実質的に垂直に整列される。この位置から、ロール８および９のキャリッジおよびロール６および７のキャリッジは、図１ｃに示された位置に達するように水平方向に同時にシフトされ、それから、先の実施形態の引き続くステップが通常どおり行われる。但し、前記シフト操作の前に、先の実施形態で図１ｃにおいて説明された装置の位置から図１ｄの位置に進行させる上述のステップを前もって実行することも可能である。
【００３７】
先に説明された異なる実施形態において、装置が規準巻取位置（すなわち、図１ｅに示される位置）にある際、ウェブ１は、ロール３と細いロール５との間を通って、細いロール５と巻取ロール２との間に達する。代わりに、巻取ロール２にウェブ１を巻き取るためのロール３および４ならびに細いロール５を備える装置において異なるパスを経てウェブ１を通することも可能である。
【００３８】
例えば、図６ａに示されるように、ウェブ１は、まずロール４と細いロール５との間を、そしてロール３と細いロール５との間を進行し、最終的に細いロール５と巻取ロール２との間に達してもよい。この場合、装置は、細いロール５が巻取ロール２への巻き取りのコースにおけるウェブ１のパスの一方の側に配置され、ロール３および４が巻取ロール２への巻き取りのコースにおけるウェブ１のパスの他方の側に配置される開位置を有すると好ましい。そして、装置が規準巻取位置にもたらされた際（例えば、巻取ロール２に向けてロール３および４ならびに細いロール５を固定されるであろう位置に移動させるか、あるいは、ロール３および４に向けて細いロール５および巻取ロール２を固定されるであろう位置に移動させることにより）、ウェブ１は、それに応じて通されるであろう。
【００３９】
図６ｂに示されるように、ウェブ１は、ロール３と細いロール５との間あるいはロール４と細いロール５との間を通過させることなく、細いロール５および巻取ロール２の間を直接通過させてもよい。この場合は、装置は、ロール３および４ならびに細いロール５のすべてが巻取ロール２への巻き取りのコースにおけるウェブ１のパスの同じ側に配置される開位置を有すると好ましい。更に、ロール３および４ならびに細いロール５は、規準巻取位置におけるそれらに既に対応するそれらの相対位置を有すると好ましい。そして、装置がその規準巻取位置にもたらされた際（例えば、巻取ロール２に向けてロール３および４ならびに細いロール５を固定されるであろう位置に移動させるか、あるいは、細いロール５ならびにロール３および４に向けて巻取ロール２を固定されるであろう位置に移動させることにより）、ウェブ１は、それに応じて通されるであろう。
【００４０】
図６ａおよび図６ｂの実施形態において、装置は、更に、規準巻取位置において細いロール５をロール３とロール４との間に自動的に位置決めする手段を有すると好ましい。更に、巻取ロール２が移動自在である場合には、巻取ロール２の直径に適合させるために、規準巻取位置での巻き取りの間に移動する巻取ロール２が好ましい。
【００４１】
図１〜図５に関連して説明された実施形態において、ウェブ１は、装置が規準巻取位置にある際、ロール３と細いロール５との間を通って細いロール５と巻取ロール２との間に達する。更に、ロール３および４ならびに細いロール５は、開位置から規準巻取位置に移動自在であり、巻取ロール２の位置は固定される。容易なセットを可能にするためには、固定されるか移動自在な位置にロールを定める代替的な可能性がある。例えば、ロール４および細いロール５の位置を固定させると共に（ただし、装置は、更に、前記規準巻取位置において細いロール５をロール３とロール４との間に自動的に位置決めする手段を有すると好ましい）、ロール３および巻取ロール２を規準巻取位置に達するように移動自在にすることも可能である。そして、巻取ロール２の直径に適合させるために、規準巻取位置での巻き取りの間に移動する巻取ロール２が好ましい。
【００４２】
上述された本発明の実施形態において、巻取ロール２にウェブ１を巻き取るためのロール３および４ならびに細いロール５を備える３つのロールシステムは、ロール６，７，８および９により形成されるジョーから独立に使用され得ることは理解されよう。
【００４３】
もちろん、本発明は、上述の実施形態に制限されるものではない。
【図面の簡単な説明】
【図１ａ】  本発明による装置の動作を示す図であって、該装置のロール群の概略側面図である。
【図１ｂ】  本発明による装置の動作を示す図であって、該装置のロール群の概略側面図である。
【図１ｃ】  本発明による装置の動作を示す図であって、該装置のロール群の概略側面図である。
【図１ｄ】  本発明による装置の動作を示す図であって、該装置のロール群の概略側面図である。
【図１ｅ】  本発明による装置の動作を示す図であって、該装置のロール群の概略側面図である。
【図２】  ロール群とキャリッジとの間の機械的関連を示す概略側面図である。
【図３】  インタロックしているサポート同士の下部の概略側面図である。
【図４】  本発明の代替的な実施形態の概略側面図である。
【図５】  本発明の他の代替的な実施形態の概略側面図である。
【図６ａ】  本発明による装置のロール群にウェブを通すための代替的可能性を示す図である。
【図６ｂ】  本発明による装置のロール群にウェブを通すための代替的可能性を示す図である。
【図１ａ】
0004643876.tif 000002
【図１ｂ】
0004643876.tif 000003
【図１ｃ】
0004643876.tif 000004
【図１ｄ】
0004643876.tif 000005
【図１ｅ】
0004643876.tif 000006
【図２】
0004643876.tif 000007
【図３】
0004643876.tif 000008
【図４】
0004643876.tif 000009
【図５】
0004643876.tif 000010
【図６ａ】
0004643876.tif 000011
【図６ｂ】
0004643876.tif 000012